(57)【要約】【課題】操作部、受光器、発光器、表示部、電源スイッチの相互配置を特定することにより使い勝手の良い出力装置を提供する。【解決手段】操作部９が設けられている耳側と反対側の耳側の保持部４に、外部に設けられた操作器（リモートコントローラ等）と信号のやりとりをするための投受光器１５が設けられている。このように、投受光器１５が、操作部９が設けられている耳側と反対側の耳側の保持部４に設けられているので、操作部９を操作する手と反対側の手で、外部に設けられた操作器を操作することができ、片方は操作部９、他の片方は外部に設けられた操作器と使い分けができるので、使い勝手の良いものとなる。【選択図】  図１
2009021778.tif 000002
【特許請求の範囲】
【請求項１】
頭部に装着して使用し、音声、映像の少なくも一方を出力する出力装置であって、少なくとも赤外光又は可視光を受光器で受光すること、又は発光器で発光することにより外部機器との通信を行う機能を有するものにおいて、操作部が左右どちらかの耳の近傍に設けられ、前記受光器又は発光器は、前記操作部が近傍に設けられた耳と反対側の耳の近傍に設けられていることを特徴とする出力装置。
【請求項２】
前記受光器又は発光器は、前記頭部に装着した状態で下向きに面した外装面に設けられていることを特徴とする請求項１に記載の出力装置。
【請求項３】
頭部に装着して使用し、音声、映像の少なくも一方を出力する出力装置であって、操作部が左右どちらかの耳の近傍に設けられ、かつ、映像を使用者の片眼に表示する表示部を有し、前記表示部は、前記操作部が設けられた耳と反対側の耳の近傍に回動可能に取り付けられているアームに取り付けられていることを特徴とする出力装置。
【請求項４】
頭部に装着して使用し、音声、映像の少なくも一方を出力する出力装置であって、操作部が左右どちらかの耳の近傍に設けられ、電源スイッチが前記操作部が設けられた耳と反対側の耳の近傍に設けられていることを特徴とする出力装置。
【発明の詳細な説明】
【技術分野】
【０００１】
本発明は、ヘッドホーンやヘッドマウントディスプレイ等、頭部に装着して使用し、音声、映像の少なくも一方を出力する出力装置に関するものである。
【背景技術】
【０００２】
近年、液晶パネル（ＬＣＤ）等のディスプレイ上に表示された映像を、接眼レンズやハーフミラー等を有する光学系を介して拡大した虚像として観察する眼鏡タイプの映像表示装置が種々提案され、ウェアラブルディスプレイと呼ばれている。このようなウェアラブルディスプレイの例は、例えばＷＯ２００４／０６１５１９Ａ１公報（特許文献１）に記載されている。
【０００３】
この映像表示装置は、多くの場合、頭に巻いた形で頭部に装着する構成とされ（ヘッドマウントディスプレイと呼ばれている）、両眼に対応する位置に映像表示系を形成した両眼タイプと左右眼の一方の眼に対応する位置に映像表示系を形成した片眼タイプとがある。このようなウェアラブルディスプレイは、通常は、映像を表示する表示部と音声を出力するヘッドホーンとを有しているが、映像のみを出力する場合もある。又、ヘッドホーンは、音楽観賞用等の音声出力機器として、広く使用されている。
【特許文献１】ＷＯ２００４／０６１５１９Ａ１公報
【発明の開示】
【発明が解決しようとする課題】
【０００４】
このような出力装置には、操作部が設けられているのが普通である。また、少なくとも赤外光又は可視光を受光器で受光すること、又は発光器で発光することにより外部機器との通信を行う機能を有するものがある。さらには、映像を使用者の片眼に表示する表示部を有するものがある。又、電源スイッチが取り付けられているものもある。
【０００５】
従来の出力装置においては、これら、操作部、受光器、発光器、表示部、電源スイッチの相互配置に特別の注意が払われていなかった。
【０００６】
本発明はこのような事情に鑑みてなされたものであり、操作部、受光器、発光器、表示部、電源スイッチの相互配置を特定することにより使い勝手の良い出力装置を提供することを課題とする。
【課題を解決するための手段】
【０００７】
前記課題を解決するための第１の手段は、頭部に装着して使用し、音声、映像の少なくも一方を出力する出力装置であって、少なくとも赤外光又は可視光を受光器で受光すること、又は発光器で発光することにより外部機器との通信を行う機能を有するものにおいて、操作部が左右どちらかの耳の近傍に設けられ、前記受光器又は発光器は、前記操作部が近傍に設けられた耳と反対側の耳の近傍に設けられていることを特徴とする出力装置である。
【０００８】
前記課題を解決するための第２の手段は、前記第１の手段であって、前記受光器又は発光器は、前記頭部に装着した状態で下向きに面した外装面に設けられていることを特徴とするものである。
【０００９】
前記課題を解決するための第３の手段は、頭部に装着して使用し、音声、映像の少なくも一方を出力する出力装置であって、操作部が左右どちらかの耳の近傍に設けられ、かつ、映像を使用者の片眼に表示する表示部を有し、前記表示部は、前記操作部が設けられた耳と反対側の耳の近傍に回動可能に取り付けられているアームに取り付けられていることを特徴とする出力装置である。
【００１０】
前記課題を解決するための第４の手段は、頭部に装着して使用し、音声、映像の少なくも一方を出力する出力装置であって、操作部が左右どちらかの耳の近傍に設けられ、電源スイッチが前記操作部が設けられた耳と反対側の耳の近傍に設けられていることを特徴とする出力装置である。
【発明の効果】
【００１１】
本発明によれば、操作部、受光器、発光器、表示部、電源スイッチの相互配置を特定することにより使い勝手の良い出力装置を提供することができる。
【発明を実施するための最良の形態】
【００１２】
以下、本発明の実施の形態の例を、図を用いて説明する。図１は、本発明の実施の形態であるヘッドマウントディスプレイの概要を示す図であり、（ａ）は斜視図、（ｂ）は、（ａ）においてヘッドマウントディスプレイを左側から見た図である。このヘッドマウントディスプレイは、両耳を左右から押さえてヘッドマウントディスプレイを頭部に固定するイヤーパッド１、２を備えている。各イヤーパッド１、２の中にはスピーカーが設けられ、それぞれの耳に音声を出力する。各イヤーパッド１、２は、自在ヒンジを介して保持部３、４に固定されている。左右の保持部３、４（固定部材）は、ヘッドバンド部５内に摺動自在に差し込まれ、ヘッドバンド部５により連結されている。ヘッドバンド部５は弾力性を有し、イヤーパッド１、２を左右から耳部に押し付ける付勢力を与える。表示部６は、表示部アーム７に保持され、表示部アーム７は、回動部８を介して保持部４に結合されていて、装着時の前後方向に回動可能となっている。
【００１３】
保持部３には操作部９が設けられ、操作部９には操作部材である押しボタンスイッチ１０、１１、１２、１３とダイヤル１４が設けられている。このうち、押しボタンスイッチ１０、１１には、モードによって異なる２つ以上の機能が与えられ（以下、このようなものを第１の操作部材という）、押しボタンスイッチ１２，１３とダイヤル１４には、単一の機能が与えられている（以下、このようなものを第２の操作部材という）。押しボタンスイッチ１０、１１は水平方向に並んで配列され、押しボタンスイッチ１２，１３とダイヤル１４は垂直方向に並んで配列されている。よって、使用者は、操作部材の配列の方向により、各々の操作部材が第１の操作部材か第２の操作部材かを識別することができる。
【００１４】
例えば、メニューを操作する画面においては、スイッチ１１をＯＫボタン、スイッチ１０をキャンセルボタンとして使用し、ダイヤル１４をカーソルの上下方向の移動に使用する。又、音楽等の再生画面においては、スイッチ１１を早送りボタン、スイッチ１０を巻き戻しボタン、スイッチ１２を再生・停止ボタンとして使用する。本実施の形態のように、共用するスイッチ１０、１１の間に、共用しないスイッチ１２、ダイヤル１４を挟み込むように配置することにより、指の移動量を減らすことができ、操作性の向上を図ることができる。
【００１５】
本実施の形態においては、操作部９が設けられている耳側と反対側の耳側の保持部４に、外部に設けられた操作器（リモートコントローラ等）と信号のやりとりをするための投受光器１５が設けられている。このように、投受光器１５が、操作部９が設けられている耳側と反対側の耳側の保持部４に設けられているので、操作部９を操作する手と反対側の手で、外部に設けられた操作器を操作することができ、同様の操作が操作器（リモートコントローラ等）と操作部９の双方でできるようになり、使い勝手の良いものとなる。
【００１６】
なお、投受光器１５は、図に示すように、保持部４の下向きに面した外装面に設けることが好ましい。これにより、投受光器１５の感度に指向性を持たせることができ、他人のリモートコントローラ等の操作により、混線が起こり、装置が誤動作する可能性を低下させることができる。さらに、ヘッドマウントディスプレイを頭部に装着している状態では、操作器（リモートコントローラ等）を保持している使用者の手は、投受光器１５に対して下側にあるので、的確に信号のやりとりができる。
【００１７】
又、前記操作器（リモートコントローラ）の操作部は、保持部３に設けられた操作部９と同じ形状、機能としておくと、同じ操作感覚で操作器（リモートコントローラ等）と操作部９が操作でき、違和感なく、使用者は、保持部３に設けられた操作部９と、操作器（リモートコントローラ）の操作部の使いやすい方を選択して使用することができる。又、操作器（リモートコントローラ）の投受光器は、投受光器１５と対面し易いように、操作器（リモートコントローラ）の上部に設けることが好ましい。
【００１８】
又、本実施の形態においては、表示部６を保持する表示部アーム７が、操作部９が設けられている耳側と反対側の耳側の保持部４に、回動可能に設けられている。このように、表示部６を保持する表示部アーム７を、操作部９が設けられている耳側と反対側の耳側の保持部４に設けることにより、操作部９の操作部材を操作しても、手が表示部アーム７に触れることが無く、表示部６の位置が変わらないので、画像を安定して見ることができる。
【００１９】
又、操作部９の反対側の耳の近傍に表示部アーム７が設けられているので、操作部９の操作による振動が、表示部アーム７に伝わりにくくなるため、操作部９の操作をしても、表示部６の画像を安定して見ることができる。
【００２０】
又、本実施の形態においては、操作部９が設けられている耳側と反対側の耳側の保持部４に、電源スイッチ１６が設けられている。このように、電源スイッチ１６を、操作部９が設けられている耳側と反対側の耳側の保持部４に設けることにより、操作部材を操作しようとして、誤って電源を切る等の心配が無くなる。
【００２１】
このような配置とすると、表示部アーム７と電源スイッチ１６とが近くに配置されることになるが、電源操作において手が表示部アーム７に接触することにより表示部アーム７と表示部６が揺れて画像が不安定になることがあったとしても、電源起動時又は電源終了時のみの操作であるから、使用者に不都合を与えることはない。
【図面の簡単な説明】
【００２２】
【図１】本発明の実施の形態であるヘッドマウントディスプレイの概要を示す図である。
【符号の説明】
【００２３】
１…イヤーパッド、２…イヤーパッド、３…保持部、４…保持部、５…ヘッドバンド部、６…表示部、７…表示部アーム、８…回動部、９…操作部、１０…押しボタンスイッチ、１１…押しボタンスイッチ、１３…押しボタンスイッチ、１４…ダイヤル、１５…投受光器、１６…電源スイッチ
【図１】
2009021778.tif 000003